(57)【要約】【課題】搬送向きに沿った長さが短いトレイが安定して搬送される手段を提供する。【解決手段】プリンタ部１１は、ＣＤ１１１を支持するトレイ１１０又は記録用紙が搬送される第１搬送路２３に設けられたプラテン５２と、プラテン５２上の記録用紙又はＣＤ１１１に画像記録を行う記録部２５と、を具備する。プラテン５２は、第１支持面５５，５６及びガイド面５７，５８を有する第１部材５３と、第２支持面６０を有し、第２支持面６０を第１支持面５５，５６に対して相対移動可能に設けられた第２部材５４と、を具備する。また、プラテン５２を、第１支持面５５，５６と第２支持面６０との高さを合致させる第１姿勢と、第１支持面５５，５６に対して第２支持面６０が下方に位置させてガイド面５７，５８を露出させる第２姿勢とに姿勢変化させる可動機構７０を具備する。【選択図】図２
2011031399.tif 000002
【特許請求の範囲】
【請求項１】
薄板形状の被記録部材を支持するトレイ又はシートが搬送される搬送路に設けられたプラテンと、当該プラテン上のシート又は被記録部材に対してインク滴を選択的に吐出して画像記録を行う記録部と、を具備する画像記録装置であって、
上記プラテンは、シートを支持する第１支持面及び当該第１支持面と交差するように配置されてトレイを案内するガイド面を有する第１部材と、シート又はトレイを支持する第２支持面を有する第２部材とを有し、上記第１支持面と上記第２支持面とが相対移動可能に設けられており、
上記プラテンを、上記第１支持面と上記第２支持面との高さを合致させる第１姿勢と、上記第１支持面に対して上記第２支持面が下方に位置させて上記ガイド面を露出させる第２姿勢とに姿勢変化させる可動機構を具備する画像記録装置。
【請求項２】
上記搬送路において上記プラテンに近接して設けられてシート又はトレイを挟持して搬送し、一対をなすローラ間隔が、シートを挟持するに適した第１間隔と、トレイを挟持するに適した第２間隔とに変動可能な第１ローラ対と、
上記搬送路において上記プラテンに対して上記第１ローラ対と反対側に設けられてシート又はトレイを挟持して搬送し、一対をなすローラ間隔が、シートを挟持するに適した第１間隔と、トレイを挟持するに適した第２間隔とに変動可能な第２ローラ対と、を更に具備し、
上記第１ローラ対及び上記第２ローラ対が第１間隔であるときに、上記プラテンが第１姿勢となり、上記第１ローラ対及び上記第２ローラ対が第２間隔であるときに、上記プラテンが第２姿勢となる請求項１に記載の画像記録装置。
【請求項３】
上記トレイが上記搬送路へ搬送される方向と直交し、且つ上記ガイド面に沿った方向を軸方向として、当該ガイド面から上記第２支持面へ膨出するように設けられたガイドローラを更に具備する請求項１又は２に記載の画像記録装置。
【請求項４】
上記第２姿勢において、上記第１支持面と上記第２支持面とは、上記ガイド面にガイドされるトレイ側端部の厚み分の段差が生じるものである請求項１から３のいずれかに記載の画像記録装置。
【請求項５】
上記可動機構は、上記第２部材の上記第２支持面を下降させて、上記プラテンを第２姿勢に姿勢変化させるものである請求項１から４のいずれかに記載の画像記録装置。
【請求項６】
上記第２支持面の両側に上記第１支持面がそれぞれ配置された請求項５に記載の画像記録装置。
【発明の詳細な説明】
【技術分野】
【０００１】
本発明は、シート、及び薄板形状の被記録部材を支持するトレイが搬送される画像記録装置に関する。
【背景技術】
【０００２】
画像記録装置は、被記録媒体を搬送して画像記録を行う。インクジェット方式の画像記録装置は、様々な被記録媒体に画像記録を行い得る。インクジェット方式の画像記録装置の被記録媒体として、記録用紙などのシートや、ＣＤやＤＶＤなどの薄板形状の部材が挙げられる。
【０００３】
ＣＤやＤＶＤなどは、定形の記録用紙に対応した搬送路に合致するトレイなどに載置されて、搬送路を搬送されつつ画像記録が行われる。このような画像記録において、トレイは、装置の正面側など、外部から搬送路へ挿入されてプラテン上へ搬送される。
【０００４】
ユーザがトレイに接触したり等して、装置へ挿入されているトレイに外力が加わると、トレイの姿勢が乱れて、ＣＤなどに精度よく画像記録を行うことができないことがある。このような問題に対して、従来より、トレイが装置へ安定して挿入されて搬送されるように、トレイの両端部や下面を支持するトレイガイドなどが設けられた画像記録装置が知られている（特許文献１参照）。
【先行技術文献】
【特許文献】
【０００５】
【特許文献１】特開２００７−３０３０４号公報
【発明の概要】
【発明が解決しようとする課題】
【０００６】
トレイに載置されたＣＤなどに画像記録が行われる場合には、搬送路へ挿入されたトレイは、ＣＤなどが記録ヘッドの直下を通り過ぎるまで搬送されてから、搬送向きが逆転され、再び記録ヘッドの直下へ進入するＣＤなどに対して画像記録が行われる。前述されたような従来のトレイガイドによって、トレイの搬送向きが逆転されるまでトレイが案内されるためには、トレイにおける搬送向きに沿った長さが、トレイガイドから記録ヘッドの直下を抜けるまでの距離にＣＤなどの直径を加えた長さより長くなければならない。つまり、そのような長さをトレイが有しなければ、トレイガイドによってトレイを案内させることができない。また、トレイの多くは合成樹脂の成型品であるが、トレイの長さが長くなるほど成型品のソリが大きくなり、トレイの上面からＣＤなどが突出したりして、トレイの搬送に悪影響が生じることが懸念される。
【０００７】
本発明は、前述された事情に鑑みてなされたものであり、その目的は、搬送向きに沿った長さが短いトレイが安定して搬送される手段を提供することにある。
【課題を解決するための手段】
【０００８】
(1)  本発明は、薄板形状の被記録部材を支持するトレイ又はシートが搬送される搬送路に設けられたプラテンと、当該プラテン上のシート又は被記録部材に対してインク滴を選択的に吐出して画像記録を行う記録部と、を具備する画像記録装置であって、上記プラテンは、シートを支持する第１支持面及び当該第１支持面と交差するように配置されてトレイを案内するガイド面を有する第１部材と、シート又はトレイを支持する第２支持面を有する第２部材とを有し、上記第１支持面と上記第２支持面とが相対移動可能に設けられており、上記プラテンを、上記第１支持面と上記第２支持面との高さを合致させる第１姿勢と、上記第１支持面に対して上記第２支持面が下方に位置させて上記ガイド面を露出させる第２姿勢とに姿勢変化させる可動機構を具備する。
【０００９】
シートに画像記録が行われるときには、プラテンが第１姿勢にされる。これにより、第１支持面と第２支持面との高さが合致して、プラテンの第１支持面及び第２支持面上にシートが平坦に支持され、そのシートに対して記録部からインク滴が選択的に吐出される。
【００１０】
被記録部材に画像記録が行われるときには、プラテンが第２姿勢にされる。これにより、第１支持面に対して第２支持面が下方に位置されて本体のガイド面が露出される。第２支持面上に搬送されたトレイは、ガイド面によって案内されながら第２支持面上を搬送される。
【００１１】
(2)  本発明に係る画像記録装置は、上記搬送路において上記プラテンに近接して設けられてシート又はトレイを挟持して搬送し、一対をなすローラ間隔が、シートを挟持するに適した第１間隔と、トレイを挟持するに適した第２間隔とに変動可能な第１ローラ対と、上記搬送路において上記プラテンに対して上記第１ローラ対と反対側に設けられてシート又はトレイを挟持して搬送し、一対をなすローラ間隔が、シートを挟持するに適した第１間隔と、トレイを挟持するに適した第２間隔とに変動可能な第２ローラ対と、を更に具備するものであってもよい。上記第１ローラ対及び上記第２ローラ対が第１間隔であるときに、上記プラテンが第１姿勢となり、上記第１ローラ対及び上記第２ローラ対が第２間隔であるときに、上記プラテンが第２姿勢となる。
【００１２】
第１ローラ対及び第２ローラ対が第２間隔となると、プラテンが第２姿勢となるので、トレイの搬送経路が確実に確保される。
【００１３】
(3)  本発明に係る画像記録装置は、上記トレイが上記搬送路へ搬送される方向と直交し、且つ上記ガイド面に沿った方向を軸方向として、当該ガイド面から上記第２支持面へ膨出するように設けられたガイドローラを更に具備するものであってもよい。
【００１４】
トレイがガイドローラを回転させながら搬送されることによって、トレイが円滑に搬送される。
【００１５】
(4)  本発明に係る画像記録装置は、上記第２姿勢において、上記第１支持面と上記第２支持面とは、上記ガイド面にガイドされるトレイ側端部の厚み分の段差が生じるものであってもよい。
【００１６】
これにより、記録部からシートまでの距離と、記録部からトレイ上の被記録部材までの距離とをほぼ同じにすることができるので、シート及び被記録部材の双方に精度よく画像記録が行われる。
【００１７】
(5)  上記可動機構として、上記第２部材の上記第２支持面を下降させて、上記プラテンを第２姿勢に姿勢変化させるものが挙げられる。
【００１８】
(6)  上記第２支持面の両側に上記第１支持面がそれぞれ配置されてもよい。
【００１９】
このような配置は、プラテンの中央部分に対してトレイが搬送される構成において有用である。また、２つある第１支持面を固定として、１つの第２支持面を下降させればよいで、可動機構が簡易となる。
【発明の効果】
【００２０】
本発明によれば、シートに画像記録が行われるときには、プラテンが第１姿勢にされて、第１支持面及び第２支持面上にシートが平坦に支持され、一方、被記録部材に画像記録が行われるときには、プラテンが第２姿勢にされて、第２支持面上に搬送されたトレイが、ガイド面によって案内されるので、搬送向きに沿った長さが短いトレイ上の被記録部材が記録部の直下を通過するまで搬送されても、ガイド面によってトレイを案内することができる。
【図面の簡単な説明】
【００２１】
【図１】本発明の実施形態に係る複合機１０の外観斜視図である。
【図２】プリンタ部１１の内部構成を示す縦断面図である。
【図３】第１姿勢のプラテン５２を示す斜視図である。
【図４】第２姿勢のプラテン５２を示す斜視図である。
【図５】第２姿勢のプラテン５２の一部を示す拡大斜視図である。
【図６】第１姿勢のプラテン５２の断面構造を示す断面図である。
【図７】第２姿勢のプラテン５２の断面構造を示す断面図である。
【図８】トレイ１１０が搬送されている状態を示す縦断面図である。
【図９】トレイ１１０が搬送されている状態を示す縦断面図である。
【図１０】トレイ１１０が搬送されている状態を示す斜視図である。
【発明を実施するための形態】
【００２２】
以下、適宜図面が参照されつつ本発明の好ましい実施形態が説明される。なお、以下に説明される実施形態は本発明の一実施形態にすぎず、本発明の要旨を変更しない範囲でこの実施形態が適宜変更されることは言うまでもない。
【００２３】
［複合機１０の概略構成］
図１に示されるように、複合機１０は、下部に設けられたプリンタ部１１と、上部に設けられたスキャナ部１２と、正面上部に設けられた操作パネル１４とを備えている。なお、本実施形態においては、矢印１０１で示される方向が複合機１０の幅方向であり、矢印１０２で示される方向が複合機１０の高さ方向であり、矢印１０３で示される方向が複合機１０の奥行き方向である。また、図１においては、トレイ１１０が挿入される状態の複合機１０が示されている。
【００２４】
複合機１０は、プリント機能、スキャン機能、ファクシミリ機能及びコピー機能などの各種の機能を有している。プリント機能は、プリンタ部１１によって発揮される。このプリンタ部１１は、インクジェット方式によって画像記録を行う。なお、複合機１０においてプリント機能以外の機能は任意であり、例えば、スキャン機能やコピー機能、ファクシミリ機能を有しないプリント機能のみを有するプリンタとして本発明の画像記録装置が実施されてもよい。
【００２５】
プリンタ部１１の正面に開口１３が形成されている。この開口１３の内部に給紙カセット２０が着脱可能に設けられている。給紙カセット２０の詳細な構成については後述されるが、給紙カセット２０に装填された記録用紙が、後述される搬送機構によってプリンタ部１１内を搬送される。この搬送過程において、記録用紙に画像記録が行われる。
【００２６】
スキャナ部１２は、いわゆるフラットベッドスキャナとして構成されているが、スキャナ部１２の構成は、本発明に直接に関係しないので、ここでは詳細な説明が省略される。
【００２７】
操作パネル１４は、プリンタ部１１やスキャナ部１２を操作するためのものであって、各種操作ボタンや液晶表示部を備えている。ユーザは、操作パネル１４を操作することにより各種機能の設定や動作を実行することができる。例えば、ユーザは、記録用紙に画像記録を行うか、トレイ１１０に保持されたコンパクトディスク１１１（以下、「ＣＤ１１１」と略される。）に画像記録を行うかのモード設定などを操作パネル１４への入力によって複合機１０に指示することができる。記録用紙は、本発明におけるシートの一例である。ＣＤ１１１は、本発明における薄板形状の被記録部材の一例である。
【００２８】
［プリンタ部１１の内部構成］
図２に示されるように、プリンタ部１１は、給紙カセット２０と、給紙カセット２０から給送された記録用紙が搬送される第１搬送路２３と、トレイ１１０が搬送される第２搬送路２４と、第１搬送路２３に設けられた記録部２５と、第１搬送路２３に設けられた搬送ローラ対２６及び排紙ローラ対２７と、記録部に対向して設けられたプラテン５２と、を備えている。搬送ローラ対２６が本発明における第１ローラ対に相当し、排紙ローラ対２７が本発明における第２ローラ対に相当する。
【００２９】
［給紙カセット２０］
給紙カセット２０は、プリンタ部１１の底側に配置されている。給紙カセット２０は、上面の一部が開口された矩形の箱状である。給紙カセット２０の内部空間２１には、複数枚の記録用紙が積層された状態に載置される。給紙カセット２０に積載された記録用紙は、給紙ローラ３０によって第１搬送路２３に給送される。
【００３０】
排紙トレイ２２は、給紙カセット２０の上面の一部として構成されている。第１搬送路２３から排出された記録用紙は、排紙トレイ２２に積載される。
【００３１】
［第１搬送路２３］
図２に示されるように、第１搬送路２３は、記録用紙が湾曲されて案内される湾曲部３２と、記録用紙が直線状に延びて案内される直線部３３とを有する。湾曲部３２は、給紙カセット２０の奥側から上方へ向かって延びながら装置正面側（図２における右側）へ湾曲している。直線部３３は、湾曲部３２から装置正面側へ向かって排紙トレイ２２付近まで直線状に延びている。記録用紙は給紙カセット２０から湾曲部３２及び直線部３３へ順次搬送される。つまり、湾曲部３２及び直線部３３は、記録用紙が搬送される向きに沿って順に連続して配置されている。この湾曲部３２及び直線部３３によって、第１搬送路２３は、いわゆるＵターンパスを形成している。
【００３２】
湾曲部３２及び直線部３３は、記録部２５等が配置されている箇所以外は、外側ガイド面と内側ガイド面とによって区画形成されている。なお、図２においては、外側ガイド面及び内側ガイド面を構成する各ガイド部材が省略されている。
【００３３】
［第２搬送路２４］
図２に示されるように、第２搬送路２４は、第１搬送路２３の直線部３３から装置背面側（図２における左側）へ直線状に延びている。第２搬送路２４も、外側ガイド面と内側ガイド面とによって区画形成されているが、図２においては、外側ガイド面及び内側ガイド面を構成する各ガイド部材が省略されている。第２搬送路２４は、湾曲部３２と直線部３３との境界付近で第１搬送路２３と交差している。各図には現れていないが、第１搬送路２３は、第２搬送路２４と交差する箇所に、トレイ１１０が通過可能な開口を有する。この開口は、例えばフラップなどによって適宜開閉される。
【００３４】
［給紙ローラ３０］
図２に示されるように、給紙ローラ３０は、アーム３１の先端に回転自在に軸支されている。給紙ローラ３０は、アーム３１の回動によって給紙カセット２０の内部空間２１へ進入して、内部空間２１に積載された最上位置の記録用紙と接触する。給紙ローラ３０は、図示されていないモータから駆動伝達されて回転される。給紙ローラ３０が給紙カセット２０の記録用紙に圧接された状態で給紙ローラ３０が回転されると、給紙ローラ３０との摩擦力によって、最上位置の記録用紙が第１搬送路２３へ給送される。
【００３５】
［搬送ローラ対２６］
搬送ローラ対２６は、第１搬送路２３の直線部３３において、記録用紙の搬送向きにおいて記録部２５及びプラテン５２より上流側に配置されており、記録用紙又はトレイ１１０を挟持して搬送するものである。搬送ローラ対２６は、駆動ローラ４５と従動ローラ４６とを有する。
【００３６】
駆動ローラ４５と従動ローラ４６とは、ほぼ高さ方向１０２に沿って対向されて対をなしている。図３及び図４に示されるように、駆動ローラ４５は、幅方向１０１に沿って延びる１本のローラであり、記録用紙及びトレイ１１０の幅より十分に長く、フレーム２９に回転自在に支持されている。駆動ローラ４５は、図示されていないモータから駆動伝達されて回転する。
【００３７】
従動ローラ４６は、駆動ローラ４５のほぼ下側において、幅方向１０１に沿って複数が設けられている。各従動ローラ４６は、後述されるプラテン５２の第２部材５４と一体である支持部材２８に支持されている。詳細については後述されるが、この支持部材２８が高さ方向１０２へ移動されることによって、駆動ローラ４５と従動ローラ４６とのローラ間隔が、記録用紙を挟持するに適した第１間隔と、トレイ１１０を挟持するに適した第２間隔とに変動される。支持部材２８は、幅方向１０１の両端側においてＵ字形状の係合部３５，３６が上方へ突出されている。各係合部３５，３６は、駆動ローラ４５において記録用紙及びトレイ１１０が通過する領域より両端側において、駆動ローラ４５を挟み込むようにして係合されている。各係合部３５，３６が駆動ローラ４５と係合することによって、支持部材２８の移動が、駆動ローラ４５に対して上下方向へ案内される。
【００３８】
支持部材２８には、各従動ローラ４６の大半を収容可能な空間が幅方向１０１に列設されている。この各空間に従動ローラ４７が収容されて、その上側の一部のローラ面が支持部材２８から上側へ向かって突出されている。各従動ローラ４６は、支持部材２８の各空間において高さ方向１０２へ若干スライド可能であり、図に示されていないコイルバネによって上側へ付勢されている。コイルバネに付勢された従動ローラ４６は、図３に示されるように、駆動ローラ４５に圧接する。従動ローラ４６が駆動ローラ４５に圧接された状態の駆動ローラ４５と従動ローラ４６との間隔が、本明細書において第１間隔と称される。駆動ローラ４５と従動ローラ４６との間に記録用紙が進入すると、ネジリコイルバネの付勢力に抗して、従動ローラ４６が駆動ローラ４５から記録用紙の厚みだけ離れて、記録用紙が駆動ローラ４５と従動ローラ４６とに挟持される。
【００３９】
図４に示されるように、支持部材２８が下方へ移動されると、各従動ローラ４６も下方へ移動されて、駆動ローラ４５と従動ローラ４６との間隔が、トレイ１１０の厚みに相当する間隔となる。この間隔が本明細書において第２間隔と称される。
【００４０】
［排紙ローラ４７、拍車４８］
図２に示されるように、第１搬送路２３の直線部３３には、排紙ローラ４７及び拍車４８が設けられている。排紙ローラ４７及び拍車４８は、記録用紙の搬送向きにおいて記録部２５及びプラテン５２より下流側に配置されている。排紙ローラ４７及び拍車４８は、排紙ローラ４７を下側として高さ方向１０３に対をなして配置されている。
【００４１】
図３，４に示されるように、排紙ローラ４７は、幅方向１０１に沿って延びる１本のローラであり、記録用紙及びトレイ１１０の幅より十分に長く、フレーム２９に回転自在に支持されている。フレーム２９において、排紙ローラ４７が挿通される孔３７，３８は、高さ方向１０２を長手方向とする長孔である。排紙ローラ４７は、この孔３７，３８の長手方向に沿って高さ方向１０２へ移動可能である。排紙ローラ４７は、不図示のコイルバネによって上方へ付勢されており、外力を受けなければ、孔３７，３８の上端側に位置する。このとき、排紙ローラ４７は、拍車４８に圧接する。排紙ローラ４７と拍車４８とが圧接された状態の排紙ローラ４７と拍車４８との間隔が、本明細書において第１間隔と称される。
【００４２】
図４に示されるように、排紙ローラ４７が下方へ移動すると、排紙ローラ４７と拍車４８との間隔が、トレイ１１０の厚みに相当する間隔となる。この間隔が本明細書において第２間隔と称される。
【００４３】
図２に示されるように、拍車４８は、排紙ローラ４７に対して接離可能であって、第１間隔にある排紙ローラ４７に圧接するようにバネ付勢されている。排紙ローラ４７は、図示されていないモータから駆動伝達されて回転される。排紙ローラ４７の回転は駆動ローラ４５の回転と同期されている。第１間隔の排紙ローラ４７と拍車４８との間に記録用紙が進入すると、バネ付勢に抗して、拍車４８が排紙ローラ４７から記録用紙の厚みだけ離れて、記録用紙が排紙ローラ４７と拍車４８とに挟持される。排紙ローラ４７及び拍車４８に挟持された記録用紙は、排紙ローラ４７の回転を受けて排紙トレイ２２へ向かって搬送される。
【００４４】
［記録部２５］
図２に示されるように、記録部２５は、第１搬送路２３の直線部３３に配置されており、キャリッジ５０及び記録ヘッド５１を備えている。キャリッジ５０は、直線部３３を挟んでプラテン５２の上側に配置されている。キャリッジ５０には、記録ヘッド５１が搭載されている。同図には現れていないが、記録ヘッド５１は、インク滴を吐出するノズルを有している。このノズルの開口がプラテン５２側へ露出された状態で、記録ヘッド５１がキャリッジ５０に搭載されている。キャリッジ５０は、図示されていないモータから駆動伝達されて、記録ヘッド５１とともに幅方向１０１（図２において紙面に垂直な方向）へ往復移動する。キャリッジ５０が移動されながら、記録ヘッド５１から微小なインク滴がプラテン５２上の記録用紙へ向かって選択的に吐出される。吐出されたインク滴が記録用紙又はＣＤ１１１に着弾することによって、記録用紙又はＣＤ１１１に画像が記録される。なお、インクは、図示されていないインクカートリッジから記録ヘッド５１へ供給される。
【００４５】
［プラテン５２］
図２に示されるように、プラテン５２は、第１搬送路２３の直線部３３において、記録ヘッド５１と対向する位置に配置されている。プラテン５２は、第１搬送路２３を搬送される記録用紙を支持する。また、プラテン５２は、第１搬送路２３の直線部３３を搬送されるトレイ１１０を支持する。
【００４６】
図３，４に示されるように、プラテン５２は、幅方向１０１を長手方向として、幅方向１０１及び奥行き方向１０３に拡がる第１支持面５５，５６及び第２支持面６１を有する薄平な部材である。プラテン５２は、フレーム２９に支持されて、搬送ローラ対２６と排紙ローラ対２７との間に配設されている。プラテン５２は、主として第１部材５３及び第２部材５４から構成されている。プラテン５２は、第２部材５４が第１部材５３に対して高さ方向１０２へ移動されることによって、第１姿勢と第２姿勢とに姿勢変化する。
【００４７】
第１部材５３は、幅方向１０１の中央部分に第２部材５４が組み込み可能に開口された薄平な部材である。第１部材５３は、幅方向１０１の両端側において第１支持面５５，５６を有する。この第１支持面５５，５６は、第１部材５３の上面をなしている。第１支持面５５，５６は、高さ方向１０２に対して同じ高さに配置されている。幅方向１０１における第１支持面５５，５６の間隔は、トレイ１１０の幅より若干広く、画像記録可能な最大サイズの記録用紙より狭い。したがって、第１支持面５５，５６は、記録用紙を支持するが、トレイ１１０を支持することはない。なお、第１支持面５５，５６には、奥行き方向１０３へ延びるリブが適宜設けられており、これらリブ上に記録用紙が支持されるが、このようなリブは任意の構成であり、本明細書においては、このようなリブによる支持も含めて、第１支持面５５，５６が記録用紙を支持すると表現される。
【００４８】
図４，５に示されるように、第１部材５３は、第１支持面５５，５６の幅方向１０１の内側の各端から下方へ延びるガイド面５７，５８を有する。ガイド面５７，５８は、高さ方向１０２及び奥行き方向１０３に拡がる面である。つまり、ガイド面５７，５８は、第１支持面５５，５６と交差する。このガイド面５７，５８の幅方向１０１における間隔は、トレイ１１０の幅よりも若干広い。ガイド面５７，５８は、第１搬送路２３の直線部３３を搬送されるトレイ１１０の側端部を案内する。
【００４９】
図５に示されるように、ガイド面５７には、幅方向１０１の内側へ、つまり第２部材５４へ向かって膨出するガイドローラ５９が設けられている。ガイド面５８にも同様のガイドローラ６０（図７参照）が設けられているが、これらは幅方向１０１に対して対称な構造なので、以下、ガイドローラ５９を例に、その構成が説明される。
【００５０】
ガイド面５７は、奥行き方向１０３におけるほぼ中央に開口が形成されており、その開口に一部が収容されるようにガイドローラ５９が設けられている。ガイドローラ５９は、奥行き方向１０３と直交し、且つガイド面５７に沿った方向を軸方向として回転自在に設けられている。ガイドローラ５９は、ガイド面５７から第２部材５４側へ膨出するように設けられている。図には現れていないが、ガイドローラ５９は、第２部材５４側へバネ付勢されており、ガイド面５７に案内されるトレイ１１０により押圧されて、第２部材５４から離れる方向へ移動可能である。
【００５１】
第２部材５４は、第１部材５３における幅方向１０１の中央部分に組み込まれた薄平な部材である。第２部材５４は、その上面が第２支持面６１をなしている。第２支持面６１は、幅方向１０１の寸法が、第１支持面５５と第１支持面５６との間隔より若干短く、奥行き方向１０３の寸法が、第１支持面５５，５６の奥行きと同等である。第１支持面５５，５６は、第２支持面６１に対して幅方向１０１の両側に配置されている。第２支持面６１は、記録用紙又はトレイ１１０を支持する。なお、第２支持面６１には、第１支持面５５，５６と同様に、奥行き方向１０３へ延びるリブが適宜設けられており、これらリブ上に記録用紙又はトレイ１１０が支持されるが、このようなリブは任意の構成であり、本明細書においては、このようなリブによる支持も含めて、第２支持面６１が記録用紙又はトレイ１１０を支持すると表現される。
【００５２】
第２部材５４は、第１部材５３に対して高さ方向１０２へ移動可能である。図３に示されるように、第１支持面５５，５６と第２支持面６１との高さ方向１０２における高さが合致する状態が、本明細書において第１姿勢と称される。図４に示されるように、第１支持面５５，５６に対して第２支持面６１が下方に位置されて、ガイド面５７，５８が露出される状態が、本明細書において第２姿勢と称される。
【００５３】
図６，７に示されるように、第２部材５４は、装置背面側（図６，７における左側）において支持部材２８と一体に構成されている。したがって、第２部材５４と支持部材２８とは、一体に高さ方向１０２に対して移動する。また、第２部材５４の装置正面側（図６，７における右側）には、装置正面側へ向かって突出するＵ字形状の係合部６２が設けられている。この係合部６２は、排紙ローラ４７の軸に係合されている。係合部６２が排紙ローラ４７と係合することによって、排紙ローラ４７が高さ方向１０２へ移動すると、係合部６２を介して第２部材５４の装置正面側が高さ方向１０２へ連動する。
【００５４】
［可動機構７０］
支持部材２８は、可動機構７０によって高さ方向１０２へ移動される。図６，７に示されるように、可動機構７０は、支持部材２８の下方に設けられている。可動機構７０は、偏心カム７１を有し、この偏心カム７１を不図示のモータからの駆動伝達により回転させるものである。
【００５５】
偏心カム７１は、幅方向１０１に沿って延びる軸７２を中心として回転する円盤形状の部材であり、その円盤形状の部材の周縁部７３が幅方向１０１に沿って鍔状に延出されている。周縁部７３は、軸７２周りにおいて連続しており、軸７２までの距離が偏心カム７１の回転位相により変動する。支持部材２８には、幅方向１０１に沿って延びる係止ピン３９が設けられており、この係止ピン３９が、偏心カム７１の周縁部７３の内側に係合されている。支持部材２８は、不図示のバネによって上方へ付勢されており、係止ピン３９は、偏心カム７１の回転位相に拘わらず、常に周縁部７３の内側に接触する。
【００５６】
図６に示されるように、軸７２から最も離れた箇所の周縁部７３に係止ピン３９が係合された状態において、支持部材２８が最も高さ方向１０２の上方に位置される。このとき、支持部材２８に支持されている従動ローラ４６は、駆動ローラ４５に圧接される。つまり、駆動ローラ４５と従動ローラ４６との間隔が第１間隔となる。また、支持部材２８と一体に移動する第２部材５４は、その第２支持面６１が第１支持面５５，５６と同じ高さとなる位置に位置される。つまり、プラテン５２が第１姿勢となる。
【００５７】
図７に示されるように、軸７２に最も近い箇所の周縁部７３に係止ピン３９が係合された状態において、支持部材２８が最も高さ方向１０２の下方に位置される。このとき、支持部材２８に支持されている従動ローラ４６は、駆動ローラ４５から最も離れる。つまり、駆動ローラ４５と従動ローラ４６との間隔が第２間隔となる。また、支持部材２８と一体に移動する第２部材５４は、その第２支持面６１が第１支持面５５，５６に対して下方に位置される。つまり、プラテン５２が第２姿勢となる。この第２姿勢において、第１支持面５５，５６と第２支持面６１とは、トレイ１１０の側端部１１４（図１参照）の厚み分の段差を生じさせる。
【００５８】
［トレイ１１０］
図１に示されるように、トレイ１１０は、ＣＤ１１１より大きな平板であり、その上面にトレイ１１０が嵌め込まれる凹嵌部１１２が形成されている。凹嵌部１１２は、ＣＤ１１１に合致するドーナツ形状の溝であり、この凹陥部１１２にＣＤ１１１が嵌め込まれることによって、トレイ１１０にＣＤ１１１が固定されて、トレイ１１０の上面側にＣＤ１１１の印刷面が露出される。
【００５９】
図８に示されるように、トレイ１１０において、複合機１０に挿入される先端部１１３は、先端の厚みが薄く、後端へ向かって厚みが次第に増すようなテーパ形状である。このテーパ形状によって、排紙ローラ対２７の間に先端部１１３が進入しやすい。
【００６０】
［記録用紙への画像記録］
記録用紙に画像記録が行われるときには、偏心カム７１は、搬送ローラ対２６が第１間隔となる回転位置にされている。したがって、従動ローラ４６は駆動ローラ４５に圧接されている。また、プラテン５２においては、第１支持面５５，５６と第２支持面６１とが同じ高さとなっている。つまり、プラテン５２は第１姿勢である。また、排紙ローラ対２７も第１間隔である。
【００６１】
図示されていないモータの回転を受けて給紙ローラ３０、駆動ローラ４５及び排紙ローラ４７が所定のタイミングで回転されて、給紙カセット２０から第１搬送路２３へ記録用紙が給送される。第１搬送路２３の湾曲部３２を搬送される記録用紙の先端が搬送ローラ対２６へ到達すると、従動ローラ４６が記録用紙の厚み分だけ若干退避して、記録用紙が搬送ローラ対２６によって挟持される。この状態で駆動ローラ４５の回転が記録用紙に伝達されて、記録用紙がプラテン５２上へ搬送される。第１姿勢のプラテン５２において、記録用紙は、第１支持面５５，５６及び第２支持面６１に支持される。なお、記録用紙の幅が第２支持面６１の幅より狭いときには、記録用紙は第２支持面６１のみによって支持される。
【００６２】
プラテン５２上に記録用紙が搬送されると、駆動ローラ４５が間欠して回転される。駆動ローラ４５が停止されている間に、キャリッジ５０が幅方向１０１へ往復移動され、その往復移動の間に記録ヘッド５１からプラテン５２上の記録用紙へインク滴が選択的に吐出される。このような駆動ローラ４５の間欠した回転とキャリッジの往復移動が繰り返されることによって、記録用紙の所望の位置に所望の画像が記録される。画像記録が行われた記録用紙は、排紙ローラ４７及び拍車４８に挟持されて、排紙トレイ２２上へ排出される。
【００６３】
［ＣＤ１１１への画像記録］
ＣＤ１１１に画像記録が行われるときには、図１に示されるように、ＣＤ１１１が、予めトレイ１１０に載置される。図示されていないモータの回転を受けて駆動ローラ４５及び排紙ローラ４７が所定のタイミングで回転される。図１に示されるように、トレイ１１０は、装置の正面側の開口１３から第１搬送路２３の直線部２４へ挿入されるので、駆動ローラ４５及び排紙ローラ４７が回転される向きは、記録用紙が搬送される向きと逆向きである。図７に示されるように、第１搬送路２３の直線部２４に挿入されたトレイ１１０は、排紙ローラ４７及び拍車４８に挟持されて、プラテン５２上へ搬送される。
【００６４】
図８に示されるように、トレイ１１０の先端１１３が排紙ローラ４７と拍車４８との間に挿入されると、排紙ローラ４７が不図示のバネ付勢に抗してトレイ１１０の厚み分だけ降下する。これにより、排紙ローラ４７が拍車４８から離間される。排紙ローラ４７が降下すると、排紙ローラ４７の軸に係合されている係合部６２を介して、プラテン５２の第２部材５４の装置正面側（図８における右側）が連動して降下する。これにより、プラテン５２の装置正面側において、第２支持面６１が第１支持面５５，５６に対して下方へ位置されて、第１支持面５５，５６と第２支持面６１との間に、トレイ１１０の側端部１１４の厚み分に相当する段差が生じる。また、第２部材５４が降下することによって、第１部材５３のガイド面５７，５８の一部が露出される。
【００６５】
つづいて、図９に示されるように、偏心カム７１が、搬送ローラ対２６が第２間隔となる回転位置に回転される。これにより、支持部材２８が降下されて従動ローラ４６が駆動ローラ４５から離間する。また、支持部材２８の降下に伴って、第２部材５４の装置背面側（図９における左側）が連動して降下する。これにより、プラテン５２の装置背面側において、第２支持面６１が第１支持面５５，５６に対して下方へ位置されて、第１支持面５５，５６と第２支持面６１との間に、トレイ１１０の側端部１１４の厚み分に相当する段差が生じる。また、第２部材５４の装置背面側が降下することによって、プラテン５２の奥行き方向１０３に渡って、第１部材５３のガイド面５７，５８がほぼ均等に露出される。これにより、搬送ローラ対２６及び排紙ローラ対２７が第２間隔となり、プラテン５２が第２姿勢となる。
【００６６】
図９，１０に示されるように、第２姿勢のプラテン５２において、トレイ１１０は、第１支持面５５，５６の間において第２支持面６１上に支持される。また、トレイ１１０の側端部１１４がガイド面５７，５８に案内される。トレイ１１０が搬送されるときには、ガイド面５７，５８に設けられたガイドローラ５９，６０が、トレイ１１０の側端部１１４に摺接しながら回転する。この状態において、トレイ１１０に積載されたＣＤ１１１の印字面は、第１支持面５５，５６とほぼ同じ高さである。なお、図８から図１０においては、ＣＤ１１１が省略されている。
【００６７】
トレイ１１０の先端部１１３が搬送ローラ対２６へ到達すると、その先端部１１３が駆動ローラ４５及び従動ローラ４６との間へ進入する。駆動ローラ４５と従動ローラ４６とに挟持されたトレイ１１０は、駆動ローラ４５の回転を受けて、装置正面側から背面側（図９における左側）へ搬送される。
【００６８】
トレイ１１０に載置されたＣＤ１１１の後端（図９における右端側の端）が、記録ヘッド５１の直下を通過すると、駆動ローラ４５及び排紙ローラ４７が停止されて逆転される。これにより、トレイ１１０は、先端１１３と後端とが逆転して、装置背面側から装置正面側（図９における右側）へ搬送される。トレイ１１０に載置されたＣＤ１１１が記録ヘッド５１の直下へ再び搬送されると、駆動ローラ４５が間欠して回転される。駆動ローラ４５が停止されている間に、キャリッジ５０が幅方向１０１へ往復移動され、その往復移動の間に記録ヘッド５１からトレイ１１０上のＣＤ１１１へインク滴が選択的に吐出される。このような駆動ローラ４５の間欠した回転とキャリッジの往復移動が繰り返されることによって、ＣＤ１１１の所望の位置に所望の画像が記録される。画像記録が行われたＣＤ１１１は、トレイ１１０に載置された状態で、装置正面側へ排出される。
【００６９】
［本実施形態の作用効果］
本実施形態に係る複合機１０によれば、記録用紙に画像記録が行われるときには、プラテン５２が第１姿勢にされて、第１支持面５５，５６及び第２支持面６０上に記録用紙が平坦に支持される。一方、ＣＤ１１１に画像記録が行われるときには、プラテン５２が第２姿勢にされて、第２支持面６０上に搬送されたトレイ１１０が、ガイド面５７，５８によって案内されるので、例えば奥行き方向１０３に沿った長さが短いトレイ１１０上のＣＤ１１１が記録部２５の直下を通過するまで搬送されても、ガイド面５７，５８によってトレイ１１０を案内することができる。
【００７０】
また、搬送ローラ対２６及び排紙ローラ対２７が第２間隔となると、プラテン５２が第２姿勢となるので、トレイ１１０の搬送経路が確実に確保される。
【００７１】
また、トレイ１１０の先端１１３が排紙ローラ４７と拍車４８との間に挿入されることによって、排紙ローラ４７が拍車４８から離間されるので、排紙ローラ対２７を第２間隔とするために、駆動源を設ける必要がない。また、排紙ローラ対２７が第２間隔となると、プラテン５２が第２姿勢にされるので、トレイ１１０の搬送経路が確実に確保される。
【００７２】
また、ガイド面５７，５８から第２部材５４へ膨出するようにガイドローラ５９，６０が設けられており、トレイ１１０がガイドローラ５９，６０を回転させながら搬送されることによって、トレイ１１０が円滑に搬送される。
【００７３】
また、第２姿勢のプラテン５２において、第１支持面５５，５６と第２支持面６１とは、ガイド面５７，５８にガイドされるトレイ１１０の側端部１１４の厚み分の段差が生じるので、記録ヘッド５１から記録用紙までの距離（ヘッドギャップ）と、記録ヘッド５１からトレイ１１０上のＣＤ１１１までの距離とをほぼ同じにすることができる。これにより、記録用紙及びＣＤ１１１の双方に精度よく画像記録が行われる。
【００７４】
また、第２支持面６１の両側に第１支持面５５，５６が配置されて、第１支持面５５，５６を固定として、第２支持面６１が下降させる構成なので、比較的簡易な構成の係合部６２及び可動機構７０によって第２部材５４が可動される。
【００７５】
なお、本実施形態では、第２部材５４の第２支持面６１が第１支持面５５，５６に対して下降されることによって、プラテン５２が第２姿勢に姿勢変化される態様が挙げられているが、第１支持面５５，５６と第２支持面６１との関係は相対的なものであるから、第１部材５３又は第２部材５４のいずれが上昇又は下降されても、前述と同様の作用効果が奏される。
【符号の説明】
【００７６】
１１・・・プリンタ部（画像記録装置）
２３・・・第１搬送路
２５・・・記録部
２６・・・搬送ローラ対（第１ローラ対）
２７・・・排紙ローラ対（第２ローラ対）
４７・・・排紙ローラ（第２ローラ）
４８・・・拍車（第１ローラ）
５２・・・プラテン
５３・・・第１部材
５４・・・第２部材
５５，５６・・・第１支持面
５７，５８・・・ガイド面
５９，６０・・・ガイドローラ
６１・・・第２支持面
６２・・・係合部（可動機構）
７０・・・可動機構
１１０・・・トレイ
１１１・・・ＣＤ（被記録部材）
１１４・・・側端部
【図１】
2011031399.tif 000003
【図２】
2011031399.tif 000004
【図３】
2011031399.tif 000005
【図４】
2011031399.tif 000006
【図５】
2011031399.tif 000007
【図６】
2011031399.tif 000008
【図７】
2011031399.tif 000009
【図８】
2011031399.tif 000010
【図９】
2011031399.tif 000011
【図１０】
2011031399.tif 000012